(57)【要約】【課題】ユーザーの嗜好に合い、且つユーザーにとって新鮮味のある番組を優先的に選択し、記録することができると番組記録装置を提供する。【解決手段】番組記録装置は、放送番組を記録する番組蓄積部６ａと、放送番組の番組情報を記録する番組情報蓄積部６ｂと、視聴された放送番組の履歴及び番組情報を記録する履歴データベース５ａと、放送番組に関する番組記録装置のユーザーの嗜好情報を記録するユーザー嗜好記録部５ｂと、放送番組に関する一般的な人の嗜好情報を記録する一般嗜好データベース５ｃと、履歴データベース５ａに記録された履歴及び番組情報と、ユーザー嗜好データベース５ｂに記録されたユーザーの嗜好情報と、一般嗜好データベース５ｃに記録された一般的な人の嗜好情報とに基づいて、放送予定の放送番組から推奨番組を選択して、番組情報蓄積部６ｂに記録させるマイコン４とを有する。【選択図】        図１
2006339695.tif 000002
【特許請求の範囲】
【請求項１】
放送予定の放送番組から推奨番組を選択して記録する番組記録装置において、
放送番組を記録する番組蓄積手段と、
放送番組の番組情報を記録する番組情報蓄積手段と、
視聴、聴取、又は記録された放送番組の履歴及び番組情報を記録する履歴記録手段と、
放送番組に関する前記番組記録装置のユーザーの嗜好情報を記録するユーザー嗜好記録手段と、
放送番組に関する一般的な人の嗜好情報を記録する一般嗜好記録手段と、
前記履歴記録手段に記録された前記履歴及び前記番組情報と、前記ユーザー嗜好記録手段に記録された前記ユーザーの嗜好情報と、前記一般嗜好記録手段に記録された前記一般的な人の嗜好情報とに基づいて、放送予定の放送番組から推奨番組を選択して、前記番組情報蓄積手段に記録させる制御手段と
を有することを特徴とする番組記録装置。
【請求項２】
前記ユーザーの嗜好情報を入力するユーザー嗜好入力手段をさらに有することを特徴とする請求項１に記載の番組記録装置。
【請求項３】
前記ユーザー嗜好記録手段に記録された前記ユーザーの嗜好情報は、前記ユーザーの嗜好を反映したキーワード及びジャンルを含むことを特徴とする請求項１又は２のいずれかに記載の番組記録装置。
【請求項４】
前記ユーザー嗜好記録手段に記録された前記ユーザーの嗜好情報は、前記ユーザーの嗜好を反映したキーワード及びジャンルが前記推奨番組に含まれることを前記ユーザーが希望する肯定的な嗜好情報又は前記推奨番組に含まれることを前記ユーザーが希望しない否定的な嗜好情報を含み、
前記制御手段による前記推奨番組の選択は、肯定的な嗜好情報を番組情報に含む放送番組に基づいて行われ、前記否定的な嗜好情報を番組情報に含む放送番組は前記推奨番組の対象としない
ことを特徴とする請求項１から３までのいずれかに記載の番組記録装置。
【請求項５】
前記番組記録装置のユーザーを複数登録でき、前記制御手段は、前記推奨番組の選択に用いる、前記履歴記録手段（に記録された前記履歴及び前記番組情報と前記ユーザー嗜好記録手段に記録された前記ユーザーの嗜好情報を、前記複数のユーザーの中から選択されたユーザーに対応して切り替えることを特徴とする請求項１から４までのいずれかに記載の番組記録装置。
【請求項６】
前記一般的な人の嗜好情報を入力する一般的嗜好入力手段をさらに有することを特徴とする請求項１から５までのいずれかに記載の番組記録装置。
【請求項７】
前記一般嗜好記録手段に記録された前記一般的な人の嗜好情報は、放送番組に関する前記一般的な人の嗜好を反映したキーワードを含むことを特徴とする請求項１から６までのいずれかに記載の番組記録装置。
【請求項８】
前記一般嗜好記録手段に記録された前記一般的な人の嗜好情報は、放送番組に関する前記一般的な人の嗜好を反映したキーワードの適用期間情報をさらに含むことを特徴とする請求項７に記載の番組記録装置。
【請求項９】
前記制御手段による前記推奨番組の選択は、前記履歴記録手段に記録された前記履歴及び前記番組情報と前記ユーザー嗜好記録手段に記録された前記ユーザーの嗜好情報とに基づいて、前記ユーザーが視聴、聴取、又は記録した放送番組の番組情報に含まれる嗜好情報の出現頻度を反映した判定情報を生成し、前記判定情報と前記一般的な人の嗜好情報とに基づいて行われることを特徴とする請求項１から８までのいずれかに記載の番組記録装置。
【発明の詳細な説明】
【技術分野】
【０００１】
本発明は、放送番組から自動的に推奨番組を選択して記録する番組記録装置に関するものである。
【背景技術】
【０００２】
近年、デジタル技術の発展に伴う放送の多チャンネル化により、チャンネル数及び番組数が増えたことにより、ユーザーの嗜好に合致した放送番組を探し出すための利便性のよい手法が求められている。このような要求に対して、ユーザーが視聴した放送番組の番組情報からキーワードを抽出し、ユーザーの嗜好データベースに登録し、放送予定番組の番組情報と登録された嗜好データベース内のキーワードとを比較して、一致するキーワードを含む放送番組を選択する方法が提案されている（例えば、特許文献１参照）。また、ユーザーが自分の嗜好にあったキーワード及びその検索条件を設定できる方法の提案もある（例えば、特許文献２参照）。
【０００３】
【特許文献１】特開２０００−２０１３０３号公報（段落００１３，００１４、図１）
【特許文献２】特開２００４−１９３９６０号公報（段落０００７，０００８、図１）
【発明の開示】
【発明が解決しようとする課題】
【０００４】
しかしながら、上記従来技術においては、ユーザーの嗜好のみに基づいて放送番組を選択しているので、常に同じような番組が選択されてしまう傾向が強く、新鮮味に欠けるという印象をユーザーに与えてしまうという問題があった。
【０００５】
そこで、本発明は、上記従来技術の課題を解決するためになされたものであり、その目的は、ユーザーの嗜好に合致し、且つユーザーにとって新鮮味のある番組を選択して記録することができる番組記録装置を提供することである。
【課題を解決するための手段】
【０００６】
本発明の番組記録装置は、放送予定の放送番組から推奨番組を選択して記録する装置であって、放送番組を記録する番組蓄積手段と、放送番組の番組情報を記録する番組情報蓄積手段と、視聴、聴取、又は記録された放送番組の履歴及び番組情報を記録する履歴記録手段と、放送番組に関する前記番組記録装置のユーザーの嗜好情報を記録するユーザー嗜好記録手段と、放送番組に関する一般的な人の嗜好情報を記録する一般嗜好記録手段と、前記履歴記録手段に記録された前記履歴及び前記番組情報と、前記ユーザー嗜好記録手段に記録された前記ユーザーの嗜好情報と、前記一般嗜好記録手段に記録された前記一般的な人の嗜好情報とに基づいて、放送予定の放送番組から推奨番組を選択して、前記番組情報蓄積手段に記録させる制御手段とを有することを特徴としている。
【発明の効果】
【０００７】
本発明によれば、自動記録を行う推奨番組を選択する際に、放送番組に関するユーザーの嗜好情報だけでなく、放送番組に関する一般的な人の嗜好情報をも考慮して推奨番組の選択を行うため、ユーザーの嗜好に合致し、且つユーザーにとって新鮮味のある番組を選択して記録することができるという効果がある。
【発明を実施するための最良の形態】
【０００８】
以下に、本発明の番組記録装置を、添付図面を参照しながら説明する。本発明の番組記録装置は、放送番組に関する当該番組記録装置のユーザーの嗜好情報と、放送番組に関する一般的な人の嗜好情報とに基づいて推奨番組の選択を行う推奨番組の自動選択機能（すなわち、番組推奨装置としての機能）を備えた装置である。番組記録装置のユーザーは、自動的に選択された推奨番組に基づいて放送番組の録画（「自動録画」とも言う。）をすること、又は、自動的に選択された推奨番組を表示部に表示してユーザーに提供することができる。なお、以下の説明においては、本発明の番組記録装置が、テレビ放送を録画することができる番組録画装置である場合を説明するが、本発明の番組記録装置は、ラジオ放送を録音する番組録音装置であってもよい。また、本発明の番組記録装置は、例えば、チューナーに接続された又はチューナー内蔵型のＤＶＤレコーダ、ハードディスクレコーダ、ハードディスク内蔵型のテレビ、又は、パーソナルコンピュータなどである。
【０００９】
図１は、本発明の実施の形態１に係る番組録画装置の構成を概略的に示すブロック図である。図１に示されるように、実施の形態１に係る番組録画装置は、放送波が入力される放送波入力端子１と、チューナー２と、チューナー２からの出力信号を分離する分離部３と、装置全体の動作を制御するマイコン４と、データベース部５と、番組データ蓄積部６と、表示部７と、操作入力端子８と、一般嗜好更新端子９とを有している。データベース部５は、履歴データベース５ａと、ユーザー嗜好データベース５ｂと、一般嗜好データベース５ｃと、予約リスト５ｄとを有している。データベース部５は、例えば、ハードディスク装置や半導体メモリ装置などのような記録装置である。番組データ蓄積部６は、番組蓄積部６ａと、番組情報蓄積部６ｂとを有している。番組データ蓄積部６は、ハードディスク装置や光ディスク装置などのような記録装置である。データベース部５と番組データ蓄積部６は、別個の記録装置であってもよく、又は、同じ記録装置の別個の領域であってもよい。
【００１０】
次に、実施の形態１に係る番組録画装置の動作の概要を説明する。アンテナ（図示せず）で受信されたアナログ放送又はデジタル放送の放送波は、放送波入力端子１を経由してチューナー２に入力される。チューナー２は、マイコン４によって適切に設定された同調周波数によって、所望のチャンネルの信号を取り出し、取り出された信号を分離部３に入力する。分離部３は、アナログ放送信号が入力された場合は、入力されたアナログ放送信号を、電子番組ガイドデータと映像音声信号に分離し、映像音声信号を、さらにＭＰＥＧ（Ｍｏｖｉｎｇ  Ｐｉｃｔｕｒｅ  Ｅｘｐｅｒｔｓ  Ｇｒｏｕｐ）ストリームに変換する。また、分離部３は、デジタル放送信号が入力された場合は、入力されたデジタル放送信号を電子番組ガイドデータとストリームとに分離する。分離された電子番組ガイドデータは、マイコン４に入力される。また、分離されたストリームは、録画の場合は番組蓄積部６ａに、録画以外の場合は表示部７に入力される。表示部７は、分離部３又は番組蓄積部６ａから入力されたストリームのデコード、デコードされたデータの表示、及び、番組情報、ユーザー嗜好、予約などの設定用の画面表示を行う。また、実施の形態１に係る番組録画装置は、放送予定番組に関する番組情報からなる電子番組表（ＥＰＧ）を、所定の時刻に又はユーザーの操作により、アンテナを経由して又はインターネット（図示せず）を経由して取得し、例えば、番組データ蓄積部６に保持する。
【００１１】
データベース部５の履歴データベース５ａは、ユーザーが視聴した放送番組の履歴及び番組情報を保持するデータベースである。なお、放送番組の履歴は、放送番組の放送開始時刻、放送終了時刻、及び放送チャンネルを含み、放送番組の番組情報は、放送番組のタイトル、ジャンル、及び放送内容の解説などを含む。データベース部５のユーザー嗜好データベース５ｂは、放送番組に関する当該番組録画装置のユーザーの嗜好情報を保持するデータベースである。データベース部５の一般嗜好データベース５ｃは、当該番組録画装置のユーザーの嗜好と直接関係のない、放送番組に関して一般的に多くの人々が興味を持ちそうな情報である嗜好情報を保持するデータベースである。予約リスト５ｄは、当該番組録画装置のユーザーが指定した予約番組や、自動録画予約番組に関する情報を保持するリストである。
【００１２】
番組データ蓄積部６の番組蓄積部６ａは、録画した番組や自動録画によって録画された番組を保持する。番組データ蓄積部６の番組情報蓄積部６ｂは、録画した番組や自動録画によって録画された番組に対応する番組情報を保持する。
【００１３】
操作入力端子８は、当該番組録画装置のユーザーの嗜好情報の入力や、録画予約の入力、番組の視聴など、ユーザーの番組録画装置に対する操作が入力される。入力は、図示しない入力手段（例えば、リモコン装置）により行われる。マイコン４は、入力された情報に基づいて、嗜好情報のユーザー嗜好データベース５ｂへの保存、予約情報の予約リスト５ｄへの保存、番組蓄積部６ａ内の番組の再生、というような各種指示を各部に出力する。
【００１４】
一般嗜好更新端子９は、当該番組録画装置のユーザーの嗜好と直接関係のない放送番組に関する一般的な人の嗜好を外部から更新する際に使用される。入力された一般嗜好情報は、マイコン４によって、一般嗜好データベース５ｃに保存される。一般嗜好情報の入力は、図示しない入力手段（例えば、リモコン装置）からの操作により行われる。また、一般嗜好情報の入力は、インターネット経由などによって自動的に行われるようにしてもよい。
【００１５】
マイコン４は、上記説明した処理に加え、ユーザーの嗜好判定情報の抽出処理と、ユーザーの嗜好判定情報と一般嗜好情報とに基づいて自動録画を行う番組の選択処理を行う。
【００１６】
次に、実施の形態１に係る番組録画装置の動作を詳細に説明する。図２は、ユーザー入力操作によりユーザー嗜好データベース５ｂに記録されたユーザー嗜好情報の例を示す図である。図２において、番号は、嗜好情報の管理番号（例えば、１，…，５）であり、種類は、その嗜好情報の種類（例えば、ジャンル、又は、キーワード）を示す項目であり、内容は、ユーザーが入力した具体的嗜好情報（例えば、「野球」、「洋画」、「ナイター」、「サスペンス」、「サッカー」など）であり、条件は、該当する項目を肯定的な嗜好情報（すなわち、ユーザーが自動録画することを希望することを示す肯定的な嗜好情報）として設定するのか、又は、否定的な嗜好情報（すなわち、ユーザーが自動録画することを希望しないことを示す否定的な嗜好情報）として設定するのかを示す。図２に示されるユーザー嗜好情報の場合には、肯定的な嗜好情報として、ジャンル「野球」、ジャンル「洋画」、キーワード「ナイター」、及びキーワード「サスペンス」が指定してあり、否定的な嗜好情報として、キーワード「サッカー」が指定してある。
【００１７】
図３は、履歴データベース５ａ内の、ユーザーが視聴した放送番組の履歴及び番組情報の例を示す図である。図３において、番号は、履歴の管理番号（例えば、１，…，１０）であり、タイトルは、視聴した番組のタイトル（例えば、「サンデーベースボール」など）であり、番組長は、視聴した番組の長さ（例えば、１５０分）であり、視聴時間は、その番組を実際に視聴した時間（例えば、１２０分）である。なお、履歴データベース５ａ内のデータを、ユーザーが録画した放送番組の履歴及び番組情報とすることも可能である。
【００１８】
図３に示される放送番組の履歴及び番組情報によると、ユーザーが肯定的な嗜好情報として指定したジャンル「野球」の番組数が４番組と最も多く、続いて、ユーザーのジャンル指定はないもののジャンル「国内ドラマ」の番組数が３番組となっている。一方、図２でユーザーが指定した肯定的な嗜好情報であるジャンル「洋画」の番組は、全く存在していない。そこで、履歴中で最も多く出現したシャンル「野球」の４番組と、それに続く、ジャンル「国内ドラマ」の３番組と、さらにユーザーが指定したにもかかわらず出現しなかったジャンル「洋画」の番組を特別に１番組と仮定して母集団を形成し、この８番組中における各ジャンルの占有率を調べる。その結果、ジャンルが「野球」である番組が５０％（＝４／８）、ジャンルが「国内ドラマ」である番組が３７．５％（＝３／８）、ジャンルが「洋画」である番組が１２．５％（＝１／８）との結果を得る。なお、上記例においては、ユーザーによるジャンル指定のない番組であって番組数が複数番組であるもの（ジャンル「国内ドラマ」）を母集団に含める例を説明したが、ユーザーによるジャンル指定のない番組を母集団に含めない処理を指定することも可能である。また、上記例においては、ユーザーが肯定的な嗜好情報として指定したが、履歴には出現しなかったジャンル「洋画」を１番組と仮定して母集団に含める例を説明したが、履歴に出現しなかったジャンルの番組を母集団に加算しない処理を指定することも可能であり、又は、ユーザーが肯定的な嗜好情報として指定したが、履歴には出現しなかったジャンル「洋画」を２以上の所定番組数と仮定して母集団に含める処理を指定することも可能である。
【００１９】
次に、図３に示される放送番組の履歴及び番組情報により、ユーザーが肯定的な嗜好情報として指定したキーワードの出現状況を調べると、キーワード「ナイター」を含む番組が１番組、キーワード「サスペンス」を含む番組が１番組となっている。また、キーワード「旅行」を含む番組が２番組出現しているため、これもキーワードとして扱う。これら３つのキーワードが出現する番組は、延べ４番組であり、これらの番組を母集団として各キーワードの出現割合を調べると、キーワードとして「旅行」を含む番組が５０％（＝２／４）、キーワードとして「ナイター」を含む番組が２５％（＝１／４）、キーワードとして「サスペンス」を含む番組が２５％（＝１／４）となる。なお、上記例においては、キーワード「旅行」を含む番組が２番組に出現しているため、これもキーワードとして扱う処理を行う場合を説明したが、上記処理に代えて、キーワード「旅行」を含む番組を母集団に含めない処理（ユーザー嗜好データベース５ｂにないキーワードを含む番組を母集団に含めない処理）を指定することも可能である。
【００２０】
以上により、図４に示すユーザーの嗜好判定情報が得られる。図４において、条件は、肯定的な嗜好情報であるか、否定的な嗜好情報であるかを示すものであり、種類は、ジャンル又はキーワードを示すものであり、内容は、具体的嗜好情報を示すものであり、割合は、ジャンル又はキーワード毎の嗜好割合を示すものである。なお、ジャンルについての嗜好割合は、出現したジャンルと指定されたジャンルの上位３種の番組数を母集団にした単純構成比で算出している。また、キーワードについての嗜好割合は、有効なもの全てに関連した番組数を母集団にした単純構成比で算出している。しかり、キーワードにおいて母集団を構成する番組数の上限及び下限を設定してもよい（例えば、２個以上４個以下のように）。また、ジャンルにおいて母集団を構成する番組数を制限せず（上記例においては、３個に制限した）に、出現したジャンルと指定されたジャンルの全てを母集団の対象にするなどの他の算出方法を採用してもよい。また、各番組数を二乗した値を用いて割合を求めるといった、図４の例で用いた算出方法以外の算出方法を用いてもよい。さらに、視聴した番組を番組長と視聴時間の比率の面から評価し、各番組間に重み付けを設定してもよい。
【００２１】
次に、ユーザーの嗜好判定情報と、一般嗜好情報から、自動録画する番組を選択する例を説明する。まず、一般嗜好情報について説明する。図５は、一般嗜好データベース５ｃ内の一般嗜好情報の例を示す図である。図５において、番号は、一般嗜好情報を管理するための番号（例えば、１，…，５）であり、キーワードは、一般嗜好を表すキーワード（例えば、「特番」、「スペシャル」など）であり、適用時期は、そのキーワードが適用される期間（例えば、「３月〜４月」など）を表すものである。一般嗜好情報には、通年で使用できるものと、期間限定で使用できるものがあり、「特番」や「スペシャル」といったキーワードは季節との関係が特にないため１年中使用できるが、「花見」、「花火」、「紅葉」といった季節との関係の深いキーワードは、適切な時期に使用してこそ意味があるため、適用時期を参照して（すなわち、番組録画装置に内蔵されている時計が示す月日が、一般嗜好データベース５ｃの適用期間に該当するか否かを判断して）利用するかどうかを決める。また、一般嗜好情報は、一般嗜好更新端子９を通じて動的に更新できるため、何らかの事件やイベントが発生した場合に、一般嗜好更新端子９を通じて更新することで、タイムリーな番組を選択することができる。
【００２２】
自動録画する番組は、図４で示されるユーザーの嗜好判定情報内のジャンル、キーワード、及び図５で示される一般嗜好情報を基にして、各番組単位で、その番組情報が、図４及び図５のジャンルやキーワードに一致する情報を含むかどうかを調べることで行われる。調査対象の番組が、図４の肯定的な嗜好条件であるキーワード、肯定的な嗜好条件であるジャンルや図５のキーワードに一致する情報を含む場合、一致するキーワードやジャンル毎に１点ずつ加算する。最後に、否定的な嗜好条件であるキーワード及び否定的な嗜好条件であるジャンルに一致するかどうかを調べ、一致した番組は、選択されないように得点を強制的に０点とする。この作業を全ての番組について行い、全ての番組の得点を算出する。なお、ここでは、ユーザーの嗜好判定情報内の肯定的な嗜好情報であるキーワード、肯定的な嗜好情報であるジャンル、一般嗜好情報内のキーワードが出現するたびに等しく１点ずつ加算しているが、肯定的な嗜好情報であるキーワード、肯定的な嗜好情報であるジャンル、一般嗜好情報内のキーワード間で個別の重み付けを行ってもよい。また、肯定的な嗜好条件であるキーワード内、肯定的な嗜好条件であるジャンル内、一般嗜好情報内のキーワード内の各項目毎に重み付けを行ってもよい。例えば、肯定的な嗜好情報であるキーワード、肯定的な嗜好情報であるジャンルについては、割合に応じて点数配分を変えるなどの配点方法を行ってもよい。
【００２３】
全番組の得点計算を終えると、得点の上位の番組から予約リスト５ｄに登録する。このとき、すでに自動録画する録画推奨番組として選ばれている番組のジャンル毎の割合、キーワード毎の割合を計算していき、図４で設定された割合を超えないようにし、超える場合は登録を行わない。また、予約リスト中にて重複する時間帯に別の番組が予約されている場合は、その番組についても登録を中止する。
【００２４】
図６は、図４のユーザーの嗜好判定情報と図５の一般嗜好情報に基づいて、全番組の得点計算を行った結果を表す番組得点リストを示す図である。図６において、順位は、得点順に並べたときの順位であり、得点は、その番組が獲得した得点の合計であり、タイトルは、番組のタイトルであり、ジャンルは、番組のジャンルであり、チャンネルは、番組を放送するチャンネルであり、開始日時は、番組の放送が開始される日時であり、終了日時は、番組の放送が終了する日時であり、選択は、最終的に選択された番組かどうかを表すもの（図６において、選択された場合に「選択」、非選択の場合には空欄とする）である。同じ得点の番組については、開始日時が早いほうを優先としている。
【００２５】
また、図７は、予約リスト５ｄに記録されている予約リストの例を示す図である。図７において、予約番号は、予約用の管理番号、チャンネルは、録画する番組が放送されるチャンネル、開始日時は、録画を開始する日時、終了日時は、録画を終了する日時、種別は、ユーザーにより設定された予約（図７及び図８において、「ユーザー」と表記）と自動録画による予約（図８において、「自動録画」と表記）とを区別するものである。
【００２６】
以下に、これらの例を用いて実際に番組選択を行う手順を説明する。選択する番組数は、８番組とする。まず、図６の得点リストから最上位の番組「開幕スペシャルナイター」を取り出す。この番組は、ジャンルが「野球」（１点）であり、キーワードとして「スペシャル」（１点）と「ナイター」（１点）を含んでいるため、合計の得点は３点となっている。また、今までに選択された番組は全くないため、ジャンル及びキーワードの割合制限を受けない。図７の予約リスト内の番組との時間帯の重複もないため、この番組は選択され、予約リストへ登録される。
【００２７】
続いて、番組「サスペンス特番！」を取り出す。この番組は、ジャンルが「国内ドラマ」（１点）であり、キーワードとして「サスペンス」（１点）と「特番」（１点）を含んでいるため、合計の得点は３点である。この番組もジャンル、キーワード割合制限を受けず、予約リスト内の番組との時間帯重複もないため、この番組も選択され、予約リストへ登録される。
【００２８】
次に「ナイター中継」を取り出す。この番組は、ジャンルが「野球」（１点）、キーワードとして「ナイター」（１点）を含むため、得点は２点である。ジャンルが「野球」の番組は２つ目であるが、「野球」の場合、ジャンル割合が５０％まで許容されているため制限は受けない。また、キーワード「ナイター」を含む番組も２番組目であるが、このキーワードは２５％まで許容されるためちょうど制限内におさまるため制限を受けない。予約リスト内の番組との時間帯重複もないため、この番組も選択され、予約リストへ登録される。
【００２９】
以上のような作業を順に行うと、６番目の順位である番組「サンデーベースボール」が、予約リスト内の予約番号１の予約と時間が重複するため選択されなくなる。また、９番目の順位である番組「激闘プロ野球」が、ジャンル「野球」における５番組目となってしまい、ジャンル割合制限である５０％を超えて約６３％（＝５／８）となってしまうため、登録されない。これにより、１０番目の順位である番組「人形の館」が繰り上げで選択される。また、ランク外となっている番組「サッカースペシャル」は、「スペシャル」というキーワードを含んでいるため得点が１点与えられるはずであるが、否定的キーワード「サッカー」を含んでいるため、得点が０点となり、選択されることはなくなる。
【００３０】
選択された番組を反映させた予約リストは図８のようになる。図８において、各項目の意味は、図７と同じであり、予約番号３から１０に種別が自動録画の予約が８件追加されているのが分かる。
【００３１】
以上の選択手順を経て、選択された番組を各ジャンル毎にまとめると、最も多いジャンルは「野球」で４番組（５０％）、続いて「国内ドラマ」で２番組（２５％）、以降、「洋画」１番組（１２．５％）、「バラエティー」１番組（１２．５％）となり、図４に示されるユーザーの嗜好判定情報におけるジャンルの割合に近い分布が得られる。キーワードについては、「旅行」２番組（２５％）、「ナイター」２番組（２５％）、「サスペンス」１番組（１２．５％）となり、図４に示されるユーザーの嗜好判定情報におけるキーワードの割合に比べて全体的に値は低くなるものの、似たような傾向で番組が選択されていることがわかる。これらのうち、ジャンル「国内ドラマ」やキーワード「旅行」は、ユーザーの指定した嗜好ではなく潜在的な嗜好であるが、この潜在的な嗜好を履歴からとらえ、選択結果に反映できることもわかる。
【００３２】
また、一般嗜好情報として、キーワード「特番」、キーワード「スペシャル」、キーワード「花見」を含む番組について得点を加点することにより、タイトル「開幕スペシャルナイター」、タイトル「サスペンス特番！」、タイトル「京都お花見旅行」といったユーザーの嗜好とマッチする番組において、より優先的に選択されることがわかる。
【００３３】
なお、例えば、複数のユーザーを登録しておき、登録されたユーザーの中からユーザーを切り替えて、ユーザー毎の嗜好に合致した番組選択を行うことも可能である。
【００３４】
以上に説明したように、実施の形態１に係る画像録画装置によれば、自動録画を行う番組を選択する際、ユーザーの嗜好情報だけでなく、多くの人々が興味を持つ一般的な嗜好情報にも基づいて番組選択を行うため、ユーザーの嗜好に合い、且つユーザーにとって新鮮味のある番組を選択し、録画することができるという効果がある。
【００３５】
また、履歴のみを元に嗜好を求める手法と異なり。ユーザー自身でキーワードやジャンルを設定してユーザーの嗜好を直接入力できるため、ユーザーの使用開始当初から、ユーザーの嗜好に合致した番組を選択し、録画することができるという効果がある。
【００３６】
さらに、ユーザーの嗜好を判定する際、ユーザーの各嗜好情報の分布状況を調べ、その分布に従った番組選択を行うため、ユーザーが最も嗜好する分野のみに偏らない、ユーザーの嗜好に合わせた番組選択を行い、録画することができるという効果がある。
【００３７】
さらにまた、ユーザーの肯定的な嗜好情報だけでなく、否定的な嗜好情報も設定できるようにしたため、ユーザーが視聴したくない番組を選択して録画してしまうことを防ぐことができるという効果がある。
【００３８】
また、一般的な嗜好情報を外部から更新できるようにしたため、季節やその時々のタイムリーな情報を反映した、ユーザーにとって新鮮味のある番組の選択及び録画ができるという効果がある。
【００３９】
また、ユーザーを切り替えてユーザー毎の嗜好情報からユーザー毎の番組選択ができるようにしたため、家族で機器を共有する際などに、各ユーザーの嗜好に合わせた番組の録画ができるという効果がある。
【図面の簡単な説明】
【００４０】
【図１】本発明の実施の形態１に係る番組録画装置の構成を概略的に示すブロック図である。
【図２】ユーザー嗜好データベースのユーザー嗜好情報を示す図である。
【図３】履歴データベースの視聴履歴情報を示す図である。
【図４】ユーザーの嗜好判定情報を示す図である。
【図５】一般嗜好データベースの一般嗜好情報を示す図である。
【図６】番組得点リストを示す図である。
【図７】予約リストを示す図である。
【図８】自動録画反映後の予約リストを示す図である。
【符号の説明】
【００４１】
１  放送波入力端子、  ２  チューナー、  ３  分離部、  ４  マイコン、  ５  データベース部、  ５ａ  履歴データベース、  ５ｂ  ユーザー嗜好データベース、  ５ｃ  一般嗜好データベース、  ５ｄ  予約リスト、  ６  番組データ蓄積部、  ６ａ  番組蓄積部、  ６ｂ  番組情報蓄積部、  ７  表示部、  ８  操作入力端子、  ９  一般嗜好更新端子。
【図１】
2006339695.tif 000003
【図２】
2006339695.tif 000004
【図３】
2006339695.tif 000005
【図４】
2006339695.tif 000006
【図５】
2006339695.tif 000007
【図６】
2006339695.tif 000008
【図７】
2006339695.tif 000009
【図８】
2006339695.tif 000010